(57)【要約】【課題】汚れ防止手袋構造を提供する。【解決手段】人体の手の形状によって設計された手袋本体１であり、該手袋本体１は、臭気除去可能な内層１１、通気防水の中間層１２、及び汚れ除去可能な外層１３を備えてなるもので、異なった層体の組合せで構成される汚れ防止手袋１００は、使用者が着用して、油汚れや汚れの掃除に直接に用いられ、ふきんを手にして、油汚れに直接に触れたりする欠点がなく、使用時に通気性がよく、快適効果を持ち、該内層１１は竹炭布またはその他の臭気除去可能の布、該中間層１２は通気防水布、該外層１３は油汚れ除去可能な布で作られている。【選択図】図２
0003153674.tif 000002
【実用新案登録請求の範囲】
【請求項１】
人体の手の形状によって設計された手袋本体であって、該手袋本体は、臭気除去可能な内層、通気防水の中間層、及び汚れ除去可能な外層を備えてなるもので、異なった層体を重ね、縫い合わせて作られた汚れ防止手袋は、使用者が着用して、油汚れや汚れの掃除に直接用いられるため、ふきんを手にする煩わしさがなく、使用時に通気性がよく、快適効果を持つことを特徴とする、汚れ防止の改良構造。
【請求項２】
該内層は竹炭布またはその他の臭気除去可能の布、該中間層は通気防水布、該外層は油汚れ除去可能な布で作られたことを特徴とする、請求項１に記載の汚れ防止の改良構造。
【考案の詳細な説明】
【技術分野】
【０００１】
本考案は汚れ防止の改良構造に係り、特に使用者が着用して、油汚れや汚れの掃除に直接に用いられるため、ふきんを手にして、油汚れに直接に触れたりする欠点がなく、使用時の通気性がよく、快適効果を持つ汚れ防止の改良構造に関するものである。
【背景技術】
【０００２】
台所やレストランで、流し台や机に残された食べ物の汚れや油汚れを除去するとき、通常、形式の異なったふきんを手にして、そのふきんで油汚れを直接にふき取ることになるが、このような従来の掃除方法では、ふきんを手にしての操作が不便で、油汚れが指や爪の隙間に付きやすく、常にきれいに洗い落とせず、手に不快感を与え、衛生問題も生じやすい。それに鑑みて、考案者は当該業務に携わる長年の経験を持っており、研究や実験を持続的に行い、汚れ防止手袋を改良して、油汚れ除去がより便利になり、手が快適で衛生的になるようにする。
【考案の概要】
【考案が解決しようとする課題】
【０００３】
本考案は、使用者がそれを着用して、手袋で油汚れや汚れを除去し、ふきんを手にして油汚れに触れたりする欠点がなく、油汚れの除去がより便利になり、使用時の通気性がよく、快適効果を持つ、汚れ防止の改良構造を提供することを目的とする。
【課題を解決するための手段】
【０００４】
人体の手の形状によって設計された手袋本体であり、該手袋本体は、臭気除去可能な内層、通気防水の中間層、及び汚れ除去可能な外層を備えてなるもので、異なった層体の組合せで構成される汚れ防止手袋は、使用者が着用して、油汚れや汚れの掃除に直接に用いられ、ふきんを手にして、油汚れに直接に触れたりする欠点がなく、使用時に通気性がよく、快適効果を持つことを特徴とする該汚れ防止の改良構造。
【０００５】
該内層は竹炭布またはその他の臭気除去可能な布、該中間層は通気防水布、該外層は油汚れ除去可能な布で作られたことを特徴とする該汚れ防止の改良構造。
【考案の効果】
【０００６】
本考案は異なった層体からなる汚れ防止手袋構造であり、使用者が着用して、油汚れや汚れの掃除に直接に用いられ、ふきんを手にする煩わしさがなく、使用時に通気性がよく、快適さを持つという効果を奏する。
【図面の簡単な説明】
【０００７】
【図１】本考案に係る汚れ防止の改良構造の立体図である。
【図２】本考案に係る汚れ防止の改良構造の立体図である。
【図３】本考案に係る汚れ防止の改良構造の断面図である。
【図４】本考案に係る汚れ防止の改良構造のもう一つの実施例の立体図である。
【考案を実施するための形態】
【０００８】
図１〜図３に示すのは、本考案の立体図と断面図であり、図面に示すように、本発明は人体の手の形状によって設計された手袋本体１であり、該手袋本体１は内から外へと、臭気除去可能な内層１１、通気防水の中間層１２、及び汚れ除去可能な外層１３を備えてなるもので、該内層１１は竹炭布またはその他の臭気除去可能な布、該中間層１２は通気防水布、該外層１３は油汚れ除去可能な布で構成され、異なった層体の布を仕立てて、重ねてへりに沿って縫い合わせる。  
【０００９】
異なった層体の組合せによって構成される汚れ防止手袋１００は、使用者が着用して、温かい物やお皿を取ることができ、手を守るほかに、流し台や机、その他のところに残された汚れや油汚れがあったとき、手に着用した汚れ防止手袋１００は、油汚れや汚れの掃除に直接用いることができ、ふきんを手にして油汚れに直接に触れたりする欠点がなく、油汚れや汚れの掃除がより便利で衛生的になる。
【００１０】
本考案の該汚れ防止手袋１００では、該外層１３は油汚れ除去可能な布で作られ、油汚れが簡単に拭き取れ、該中間層１２は通気防水の布で作られ、それを着用しても通気効果があり、快適に使用でき、該内層１１は竹炭布またはその他の臭気除去可能な布で作られ、長期間使用で生じられる異臭が避けられ、手の爽やかさを保ち、汚れ防止手袋１００の実用性が向上する。
【００１１】
図４に示すのは、本発明のもう一つの実施例の立体図であり、図示のように、本考案は一体化した手袋本体２に設けられてもよいが、そして、該手袋本体２は内から外へと、臭気除去可能な内層２１、通気防水の中間層２２、及び汚れ除去可能な外層２３を備えてなる異なった層体の組合せであり、使用者が着用して、温かい物やお皿を取ることができ、手を守るほかに、流し台や机、その他のところに残された汚れや油汚れがあったとき、手に着用した汚れ防止手袋１００は、油汚れや汚れの掃除に直接用いることができ、ふきんを手にする煩わしさがなく、油汚れや汚れの掃除がより便利で衛生的になる。
【００１２】
上述内容をまとめると、本考案は異なった層体からなる汚れ防止手袋構造であり、使用者が着用して、油汚れや汚れの掃除に直接に用いられ、ふきんを手にする煩わしさがなく、使用時に通気性がよく、快適効果を持つ実用性があり、誠に新規性のあるオリジナルな考案であり、法律規定に従って実用新案登録出願を行う次第である。
【符号の説明】
【００１３】
１         手袋本体
１１       内層
１２       中間層
１３       外層
２         手袋本体
２１       内層
２２       中間層
２３       外層
１００     汚れ防止手袋
【図１】
0003153674.tif 000003
【図２】
0003153674.tif 000004
【図３】
0003153674.tif 000005
【図４】
0003153674.tif 000006
【手続補正書】
【提出日】平成21年7月13日(2009.7.13)
【手続補正１】
【補正対象書類名】明細書
【補正対象項目名】全文
【補正方法】変更
【補正の内容】
【考案の詳細な説明】
【技術分野】
【０００１】
本考案は汚れ防止手袋構造に係り、特に使用者が着用して、油汚れや汚れの掃除に直接に用いられるため、ふきんを手にして、油汚れに直接に触れたりする欠点がなく、使用時の通気性がよく、快適効果を持つ汚れ防止手袋構造に関するものである。
【背景技術】
【０００２】
台所やレストランで、流し台や机に残された食べ物の汚れや油汚れを除去するとき、通常、形式の異なったふきんを手にして、そのふきんで油汚れを直接にふき取ることになるが、このような従来の掃除方法では、ふきんを手にしての操作が不便で、油汚れが指や爪の隙間に付きやすく、常にきれいに洗い落とせず、手に不快感を与え、衛生問題も生じやすい。それに鑑みて、考案者は当該業務に携わる長年の経験を持っており、研究や実験を持続的に行い、汚れ防止手袋を改良して、油汚れ除去がより便利になり、手が快適で衛生的になるようにする。
【考案の概要】
【考案が解決しようとする課題】
【０００３】
本考案は、使用者がそれを着用して、手袋で油汚れや汚れを除去し、ふきんを手にして油汚れに触れたりする欠点がなく、油汚れの除去がより便利になり、使用時の通気性がよく、快適効果を持つ、汚れ防止手袋構造を提供することを目的とする。
【課題を解決するための手段】
【０００４】
人体の手の形状によって設計された手袋本体であり、該手袋本体は、臭気除去可能な内層、通気防水の中間層、及び汚れ除去可能な外層を備えてなるもので、異なった層体の組合せで構成される汚れ防止手袋は、使用者が着用して、油汚れや汚れの掃除に直接に用いられ、ふきんを手にして、油汚れに直接に触れたりする欠点がなく、使用時に通気性がよく、快適効果を持つことを特徴とする汚れ防止手袋構造。
【０００５】
該内層は竹炭布またはその他の臭気除去可能な布、該中間層は通気防水布、該外層は油汚れ除去可能な布で作られたことを特徴とする汚れ防止手袋構造。
【考案の効果】
【０００６】
本考案は異なった層体からなる汚れ防止手袋構造であり、使用者が着用して、油汚れや汚れの掃除に直接に用いられ、ふきんを手にする煩わしさがなく、使用時に通気性がよく、快適さを持つという効果を奏する。
【図面の簡単な説明】
【０００７】
【図１】本考案に係る汚れ防止手袋構造の立体図である。
【図２】本考案に係る汚れ防止手袋構造の立体図である。
【図３】本考案に係る汚れ防止手袋構造の断面図である。
【図４】本考案に係る汚れ防止手袋構造のもう一つの実施例の立体図である。
【考案を実施するための形態】
【０００８】
図１〜図３に示すのは、本考案の立体図と断面図であり、図面に示すように、本考案は人体の手の形状によって設計された手袋本体１であり、該手袋本体１は内から外へと、臭気除去可能な内層１１、通気防水の中間層１２、及び汚れ除去可能な外層１３を備えてなるもので、該内層１１は竹炭布またはその他の臭気除去可能な布、該中間層１２は通気防水布、該外層１３は油汚れ除去可能な布で構成され、異なった層体の布を仕立てて、重ねてへりに沿って縫い合わせる。  
【０００９】
異なった層体の組合せによって構成される汚れ防止手袋１００は、使用者が着用して、温かい物やお皿を取ることができ、手を守るほかに、流し台や机、その他のところに残された汚れや油汚れがあったとき、手に着用した汚れ防止手袋１００は、油汚れや汚れの掃除に直接用いることができ、ふきんを手にして油汚れに直接に触れたりする欠点がなく、油汚れや汚れの掃除がより便利で衛生的になる。
【００１０】
本考案の該汚れ防止手袋１００では、該外層１３は油汚れ除去可能な布で作られ、油汚れが簡単に拭き取れ、該中間層１２は通気防水の布で作られ、それを着用しても通気効果があり、快適に使用でき、該内層１１は竹炭布またはその他の臭気除去可能な布で作られ、長期間使用で生じられる異臭が避けられ、手の爽やかさを保ち、汚れ防止手袋１００の実用性が向上する。
【００１１】
図４に示すのは、本考案のもう一つの実施例の立体図であり、図示のように、本考案は一体化した手袋本体２に設けられてもよいが、そして、該手袋本体２は内から外へと、臭気除去可能な内層２１、通気防水の中間層２２、及び汚れ除去可能な外層２３を備えてなる異なった層体の組合せであり、使用者が着用して、温かい物やお皿を取ることができ、手を守るほかに、流し台や机、その他のところに残された汚れや油汚れがあったとき、手に着用した汚れ防止手袋１００は、油汚れや汚れの掃除に直接用いることができ、ふきんを手にする煩わしさがなく、油汚れや汚れの掃除がより便利で衛生的になる。
【００１２】
上述内容をまとめると、本考案は異なった層体からなる汚れ防止手袋構造であり、使用者が着用して、油汚れや汚れの掃除に直接に用いられ、ふきんを手にする煩わしさがなく、使用時に通気性がよく、快適効果を持つ実用性があり、誠に新規性のあるオリジナルな考案であり、法律規定に従って実用新案登録出願を行う次第である。
【符号の説明】
【００１３】
１       手袋本体
１１     内層
１２     中間層
１３     外層
２       手袋本体
２１     内層
２２     中間層
２３     外層
１００  汚れ防止手袋
【手続補正２】
【補正対象書類名】実用新案登録請求の範囲
【補正対象項目名】全文
【補正方法】変更
【補正の内容】
【実用新案登録請求の範囲】
【請求項１】
人体の手の形状によって設計された手袋本体であって、該手袋本体は、臭気除去可能な内層、通気防水の中間層、及び汚れ除去可能な外層を備えてなるもので、異なった層体を重ね、縫い合わせて作られた汚れ防止手袋は、使用者が着用して、油汚れや汚れの掃除に直接用いられるため、ふきんを手にする煩わしさがなく、使用時に通気性がよく、快適効果を持つことを特徴とする、汚れ防止手袋構造。
【請求項２】
該内層は竹炭布またはその他の臭気除去可能の布、該中間層は通気防水布、該外層は油汚れ除去可能な布で作られたことを特徴とする、請求項１に記載の汚れ防止手袋構造。